(57)【要約】【課題】魚の動きに似せたリアルな動きを得ることができるルアーを提供する。【解決手段】複数に分割された分割体１０ａ，１０ｂによりルアー本体１０を連結手段で連結したルアー１であって、頭部側となる分割体１０ａに対して尾部側となる分割体１０ｂは、連結手段を介してルアー本体１０の軸線周りに回動可能に設けられており、かつ連結手段と尾部側の分割体１０ｂとの間に設けられた回動規制手段により、ルアー本体１０の軸線周りに回動角度を規制されて連結されている構成とした。頭部側の分割体１０ａに対して尾部側の分割体１０ｂが相対的に回動した際に、回動規制部が、空隙部Ｓの内面に当接する構成とした。【選択図】図１
2011092097.tif 000002
【特許請求の範囲】
【請求項１】
複数に分割された分割体によりなるルアー本体を連結手段で連結したルアーであって、
複数に分割された前記分割体のうち、前記ルアー本体の頭部側となる前記分割体に対して尾部側となる前記分割体は、前記連結手段を介して前記ルアー本体の軸線周りに回動可能に設けられており、かつ前記連結手段と尾部側の前記分割体との間に設けられた回動規制手段により、前記ルアー本体の軸線周りに回動角度を規制されて連結されていることを特徴とするルアー。
【請求項２】
連結手段は、頭部側の前記分割体に固定され、尾部側の前記分割体を前記ルアー本体の軸線方向に貫通する軸を有しており、
前記回動規制手段は、
尾部側の前記分割体の内側において、前記軸の周りに形成された空隙部と、
前記空隙部内に位置するように前記軸に設けられ、前記空隙部の内面に対して、尾部側の前記分割体が回動可能な間隔を空けて配置された回動規制部と、を備え、
前記回動規制部は、頭部側の前記分割体に対して尾部側の前記分割体が相対的に回動した際に、前記空隙部の内面に当接することを特徴とする請求項１に記載のルアー。
【請求項３】
尾部側の前記分割体の外面には、水流やリトリーブ等による水の抵抗を受けて当該分割体を前記ルアー本体の軸線周りに回動させる抵抗部が設けられていることを特徴とする請求項１または請求項２に記載のルアー。
【請求項４】
尾部側の前記分割体には、前記ルアー本体の体高方向における腹部側において、前記空隙部の内面における前記回動規制部が当接する部位に、金属製の錘部材が配設されていることを特徴とする請求項２または請求項３に記載のルアー。
【発明の詳細な説明】
【技術分野】
【０００１】
本発明は、魚釣りに用いるルアーに関する。
【背景技術】
【０００２】
従来、魚に似せた動きを演出して、対象魚を誘う集魚効果を得るようにしたルアーとして、魚の形状に似せたルアー本体を、例えば頭部と尾部とに分割し、これらの頭部と尾部とを連結部材で連結して、頭部に対して尾部が水流により回転するようにしたジョイント型のルアーが知られている（例えば、特許文献１参照）。
【０００３】
また、魚の形状に似せたルアー本体を、例えば頭部と中央部と尾部とに分割し、頭部と尾部との間に中央部を回転可能に支持したものも知られている（例えば、特許文献２参照）。
このルアーでは、中央部の外面に翼が突設されており、水流を受けて中央部がルアー本体の軸線周りに回転するようになっている。
【先行技術文献】
【特許文献】
【０００４】
【特許文献１】実開平５−２３８６４号公報
【特許文献２】特開平９−２６６７３７号公報
【発明の概要】
【発明が解決しようとする課題】
【０００５】
しかしながら、前記した特許文献１，２のルアーでは、水流やリトリーブ等による水の抵抗を受けてルアー本体を構成する尾部や中央部がルアー本体の軸線周りに回転するようになっているので、本来の魚の動きとは異なる不自然な動きとなっていた。
【０００６】
本発明は、このような問題を解決するためになされたものであり、魚の動きに似せたリアルな動きを得ることができるルアーを提供することを課題とする。
【課題を解決するための手段】
【０００７】
このような課題を解決する本発明のルアーは、複数に分割された分割体によりなるルアー本体を連結手段で連結したルアーであって、複数に分割された前記分割体のうち、前記ルアー本体の頭部側となる前記分割体に対して尾部側となる前記分割体は、前記連結手段を介して前記ルアー本体の軸線周りに回動可能に設けられており、かつ前記連結手段と尾部側の前記分割体との間に設けられた回動規制手段により、前記ルアー本体の軸線周りに回動角度を規制されて連結されていることを特徴とする。
ここで、頭部側とは、ルアーの推進方向に対して前部となる側をいい、また、尾部側とは、頭部側と反対側となる、ルアーの推進方向に対して後部となる側をいう。
【０００８】
このルアーによれば、尾部側となる分割体は、連結手段と尾部側の分割体との間に設けられた回動規制手段により、ルアー本体の軸線周りに回動角度を規制されて連結されているので、水流やリトリーブ等による水の抵抗を受けて尾部側の分割体が回動するときに、頭部側に対して回転してしまうことがなくなり、頭部側に対して規制された回動角度で回動することとなる。
ここで、例えば、尾部側の分割体において、ルアー本体の軸線よりも鉛直方向下側となる部位（ルアー本体の体高方向の腹部側となる部位）に、尾部側の分割体の重心が位置するように構成することで、尾部側の分割体をルアー本体の軸線周りに回動させてバランスよく揺動（ルアー本体の軸線を中心としてルアー本体の体側面方向に交互に揺動、以下同じ）させることができる。
【０００９】
また、本発明は、連結手段は、頭部側の前記分割体に固定され、尾部側の前記分割体を前記ルアー本体の軸線方向に貫通する軸を有しており、前記回動規制手段は、尾部側の前記分割体の内側において、前記軸の周りに形成された空隙部と、前記空隙部内に位置するように前記軸に設けられ、前記空隙部の内面に対して、尾部側の前記分割体が回動可能な間隔を空けて配置された回動規制部と、を備え、前記回動規制部は、頭部側の前記分割体に対して尾部側の前記分割体が相対的に回動した際に、前記空隙部の内面に当接することを特徴とする。
【００１０】
このルアーによれば、水流やリトリーブ等による水の抵抗を受けて尾部側の分割体が頭部側の分割体に対して回動して揺動するときに、軸に設けられた回動規制部が、尾部側の分割体の空隙部の内面に当接して尾部側の分割体の回動を規制し、尾部側の分割体が頭部側の分割体に対して回転してしまうのを阻止する。
【００１１】
また、尾部側の前記分割体の外面には、水流やリトリーブ等による水の抵抗を受けて当該分割体を前記ルアー本体の軸線周りに回動させる抵抗部が設けられている構成とするのがよい。
このルアーによれば、水流やリトリーブ等による水の抵抗を受けて尾部側の分割体を頭部側の分割体に対して好適に回動させることができる。
【００１２】
また、尾部側の前記分割体には、前記ルアー本体の体高方向における腹部側において、前記空隙部の内面における前記回動規制部が当接する部位に、金属製の錘部材が配設されている構成とするのがよい。
このルアーによれば、尾部側の分割体には、ルアー本体の体高方向における腹部側において、空隙部の内面の回動規制部が当接する部位に錘部材が設けられているので、ルアー本体の軸線よりも鉛直方向下側の領域に、尾部側の分割体の重心が位置するようになり、尾部側の分割体をルアー本体の軸線周りに回動させてバランスよく揺動させることができる。
【００１３】
しかも、空隙部の内面の回動規制部が当接する部位に金属製の錘部材が配設されているので、水流やリトリーブ等による水の抵抗を受けて尾部側の分割体が頭部側の分割体に対して回動して揺動するときに、回動規制部が錘部材に当接して金属音を発する。
【発明の効果】
【００１４】
本発明によれば、水流やリトリーブ等による水の抵抗を受けて尾部側の分割体が回動するときに、頭部側の分割体に対して回転してしまうのを防止することができ、魚の動きに似せたリアルな動きを得ることができる。これによって、対象とする魚の捕食活動を強く刺激することができる。
【００１５】
また、本発明によれば、水流やリトリーブ等による水の抵抗を受けて尾部側の分割体が頭部側の分割体に対して回動して揺動するときに、回動規制部が尾部側の分割体の空隙部の内面に当接して尾部側の分割体の回動を規制するので、比較的速いスピードでリトリーブを行った際に尾部側の分割体が大きく回動しても、回動規制部が尾部側の分割体の内面に当接して回動を抑えるので、尾部側の分割体が頭部側の分割体に対して回転してしまうのを好適に防止することができ、尾部側の分割体をルアー本体の軸線周りに好適に回動させて揺動させることができる。これにより、魚の動きに似せたリアルな動きを得ることができる。
【００１６】
また、本発明によれば、尾部側の分割体の外面に設けた抵抗部により、水流やリトリーブ等による水の抵抗を受けて尾部側の分割体を頭部側の分割体に対して好適に回動させることができ、魚の動きに似せた一層リアルな動きを得ることができる。
【００１７】
また、本発明によれば、尾部側の分割体の腹部側に配設した錘部材によって、尾部側の分割体をルアー本体の軸線周りに回動させてバランスよく揺動させることができ、魚の動きに似せた一層リアルな動きを得ることができる。
また、錘部材によって、ルアー本体の軸線よりも鉛直方向下側となる領域に、尾部側の分割体の重心が好適に位置することとなるので、ゆっくりとしたスピードでリトリーブを行う場合、および速いスピードでリトリーブを行う場合のいずれにおいても、尾部側の分割体をルアー本体の軸線周りに好適に回動させてバランスよく揺動させることができ、より一層魚の動きに似せたリアルな動きを得ることができる。
しかも、尾部側の分割体が回動して揺動する際に、回動規制部が金属製の錘部材に当接可能であるので、尾部側の分割体の揺動に合わせて当接による金属音を発することができ、集魚効果が高まって対象とする魚の捕食活動を強く刺激することができる。
【図面の簡単な説明】
【００１８】
【図１】本発明の第１実施形態に係るルアーを示した図であり、（ａ）は内部構造を透視して示した斜視図、（ｂ）はルアー本体の尾部側を輪切りにした縦断面図、（ｃ）はルアー本体の軸線に沿う縦断面図である。
【図２】（ａ）〜（ｅ）はゆっくりとしたスピードでリトリーブを行った際の尾部側の分割体の回動を示す縦断面図、（ｆ）〜（ｎ）は速いスピードでリトリーブを行った際の尾部側の分割体の回動を示す縦断面図である。
【図３】本発明の第２実施形態に係るルアーを示した図であり、（ａ）は内部構造を透視して示した斜視図、（ｂ）はルアー本体の尾部側を輪切りにした縦断面図、（ｃ）はルアー本体の軸線に沿う縦断面図である。
【図４】本発明の第３実施形態に係るルアーを示した図であり、（ａ）は図４（ｃ）のＡ−Ａ線断面図、（ｂ）はルアーの側面図、（ｃ）はルアーの平面図、（ｄ）（ｅ）は作用説明図である。
【図５】本発明の第４実施形態に係るルアーを示した一部分解斜視図である。
【発明を実施するための形態】
【００１９】
以下、本発明に係るルアーの実施の形態について図面を参照しながら説明する。各実施形態において、同一の部分には同一の符号を付し、重複する説明は省略する。
【００２０】
（第１実施形態）
図１各図に示すように、ルアー１は、外形を魚に似せて形成されたルアー本体１０（図１（ａ）（ｃ）参照、以下同じ）とルアー本体１０を連結する連結手段としての軸部材（軸）２０とを備えて構成されている。ルアー本体１０は、頭部側と尾部側とに分割（本実施形態では２個に分割）された頭部側の分割体１０ａおよび尾部側の分割体１０ｂからなる。頭部側の分割体１０ａおよび尾部側の分割体１０ｂは、軸部材２０によりルアー本体１０の軸線周り（軸部材２０周り）に回動可能に連結されている。
【００２１】
頭部側の分割体１０ａおよび尾部側の分割体１０ｂは、例えば、ＡＢＳ樹脂やポリカーボネート等の硬質合成樹脂や塩化ビニル等の軟質合成樹脂等からなり、軸部材２０は、例えば、金属製の線材等からなる。頭部側の分割体１０ａと軸部材２０とは、射出成形により一体に成形することができる。
なお、頭部側の分割体１０ａおよび尾部側の分割体１０ｂは、合成樹脂に代えて金属や木材で形成してもよい。
ここで、頭部側の分割体１０ａおよび尾部側の分割体１０ｂは、左右一対の半割部材として形成してもよく、それぞれの対向する部位を接着剤や係合手段を用いて接合することで、軸部材２０を半割部材間に挟持するように構成してもよい。
【００２２】
頭部側の分割体１０ａは、魚の頭部に似せて形成されており、本実施形態では、先端部分に角部を有さない流線型としてある。頭部側の分割体１０ａには、軸部材２０の大径部２１およびこれに連続する中径部２２が一体的に埋設されており、軸部材２０が一体的に固着されて連結されている。
なお、頭部側の分割体１０ａの体高方向の上部側には、釣糸を係止するためのアイ１１（止め輪）が取り付けられている。また、頭部側の分割体１０ａの体高方向の下部側には、フック１２が取り付けられている。
【００２３】
ここで、アイ１１の取り付け位置は、軸部材２０の軸線よりも体高方向上側（鉛直方向上側）に設けることが好ましい。このようにすることで、リトリーブ時における頭部側の分割体１０ａの体高方向の姿勢が安定するようになり、姿勢の安定に伴って、尾部側の分割体１０ｂの空隙部Ｓ（回動規制手段）内に収容される、回動規制部（回動規制手段）としての板状規制部材３０の姿勢も、体高方向（鉛直方向）に延在する状態に保持され易くなる。空隙部Ｓと板状規制部材３０との関係については後記する。
【００２４】
尾部側の分割体１０ｂは、魚の胴部および尾部に似せて形成されており、本実施形態では、尾部側に向けて窄まる流線型としてある。尾部側の分割体１０ｂには、軸部材２０（小径軸部２４）がゴム製のブッシュ２６ａ，２６ｂを介して挿通されており、軸部材２０およびこの軸部材２０が固定される頭部側の分割体１０ａに対して尾部側の分割体１０ｂが回動可能に支持されている。
【００２５】
尾部側の分割体１０ｂの内側には、ルアー本体１０の軸線に沿って軸部材２０の周りを囲むように空隙部Ｓが形成されている。空隙部Ｓは、図１（ｂ）に示すように、軸線方向から見たときの輪切り断面が、縦長の略長方形状を呈しており、空隙部Ｓを構成する各内側面が、空隙部Ｓ内に配置される回動規制部としての板状規制部材３０に対して、所定の間隔を空けて位置するように形成されている。
本実施形態では、後記するように頭部側の分割体１０ａに対して尾部側の分割体１０ｂが相対的に回動した際に、板状規制部材３０の両側面に対向する空隙部Ｓの内側面Ｓ１，Ｓ２（図２（ｂ）参照）に、板状規制部材３０の上部３０ａおよび下部３０ｂ（図２（ｂ）参照）の端部がそれぞれ当接するように構成されている。
【００２６】
尾部側の分割体１０ｂには、ルアー本体１０の体高方向において背部側となる外面に、リップとなる抵抗部１３が設けられている。この抵抗部１３は、水流やリトリーブ等による水の抵抗を受けて尾部側の分割体１０ｂをルアー本体１０の軸線周りに回動させる役割をなす。
なお、抵抗部１３の形状や個数は任意に設定することができ、また、尾部側の分割体１０ｂの背部側に限らず、外面のその他の部位に設けてもよい。
【００２７】
また、尾部側の分割体１０ｂには、ルアー本体１０の体高方向において腹部側に、断面円弧状の錘部材２９が設けられている。錘部材２９は、空隙部Ｓの内側面Ｓ１，Ｓ２における板状規制部材３０の下部３０ｂ（図２（ｂ）参照）先端が当接する部位に設けられている。このような錘部材２９が設けられていることにより、尾部側の分割体１０ｂは、軸部材２０よりも鉛直方向下側となる領域（ルアー本体１０の体高方向の腹部側）に、尾部側の分割体１０ｂの重心が位置するように構成されている。
【００２８】
軸部材２０は、ルアー本体１０の軸線に沿う直線状の部材であり、頭部側の分割体１０ａに埋設される大径部２１および中径部２２と、フランジ部２３，２５と、尾部側の分割体１０ｂに挿通される小径軸部２４とを備えて構成されている。
大径部２１は、中径部２２よりも大径とされており、頭部側の分割体１０ａから軸部材２０が脱落するのを防止する脱落防止部として機能する。
【００２９】
フランジ部２３は、頭部側の分割体１０ａと尾部側の分割体１０ｂとの間に位置しており、頭部側の分割体１０ａと尾部側の分割体１０ｂとが当接するのを防止するスペーサの役割をなす。また、フランジ部２３は、フランジ部２５との間に尾部側の分割体１０ｂを回動可能に保持する役割をなす。これによって、尾部側の分割体１０ｂは、軸部材２０の周りにブッシュ２６ａ，２６ｂを介して回動可能に保持されている。なお、ブッシュ２６ａ，２６ｂは、空隙部Ｓ内に水が浸入するのを防止する。
【００３０】
小径軸部２４には、板状規制部材３０が固定されている。板状規制部材３０は、尾部側の分割体１０ｂの空隙部Ｓ内に収容される金属製の板状の部材であり、軸線方向に沿うようにして設けられたボス部３１を有し、このボス部３１に小径軸部２４が挿通されて、軸部材２０に一体的に固定されている。
このような板状規制部材３０は、尾部側の分割体１０ｂの空隙部Ｓ内において、尾部側の分割体１０ｂの体高方向に沿う方向に、上部３０ａおよび下部３０ｂがそれぞれ延在しており、かつ空隙部Ｓの内側面Ｓ１，Ｓ２との間に、尾部側の分割体１０ｂが回動可能な間隔を空けて（等しい間隔を空けて）配置されている。また、板状規制部材３０は、空隙部Ｓの上面および下面との間に所定のクリアランスを有して配置されている。
なお、図１（ｂ）に示すように、尾部側の分割体１０ｂを軸線方向から見たときに、板状規制部材３０の縦軸の延長上に、アイ１１（二点鎖線で図示）が位置している。これによって、リトリーブ時等には、頭部側の分割体１０ａを基準として、体高方向に板状規制部材３０の縦軸が位置するようになっている。
【００３１】
軸部材２０の尾部側の端部には、円環状部２７が設けられ、この円環状部２７にフック２８が取り付けられている。つまり、フック２８は、尾部側の分割体１０ｂに対して取り付けられておらず、フック２８の重量が尾部側の分割体１０ｂの回動に対して影響を及ぼすことがない。これにより、水流やリトリーブ等による水の抵抗を受けたときに、尾部側の分割体１０ｂを好適に回動させることができる。したがって、ゆっくりとしたスピードでリトリーブを行った場合においても、頭部側の分割体１０ａに対して尾部側の分割体１０ｂを好適に回動させて揺動させることができる。
【００３２】
次に、本実施形態のルアー１の作用について説明する。ここで、図２（ａ）〜（ｅ）はゆっくりとしたスピードでリトリーブを行った際の作用を示しており、図２（ｆ）〜（ｎ）は比較的速いスピードでリトリーブを行った際の作用を示している。
はじめに、図２（ａ）に示すように、尾部側の分割体１０ｂの体高方向が鉛直方向を向いている初期状態において、ゆっくりとしたスピードでリトリーブを開始すると、図２（ｂ）に示すように、水流やリトリーブによる水の抵抗を受けて、尾部側の分割体１０ｂが、例えば、図中Ｘ１方向に所定量回動し鉛直方向に対して傾斜する。このとき、回動したときの勢いによっては、板状規制部材３０の上部３０ａおよび下部３０ｂが空隙部Ｓの内側面Ｓ１，Ｓ２にそれぞれ当接し、これとともに下部３０ｂが錘部材２９に当接して当接音を生じる。
【００３３】
図２（ｂ）に示すように、尾部側の分割体１０ｂが鉛直方向に対して傾斜すると、錘部材２９によって尾部側の分割体１０ｂを鉛直方向に戻す力が働き、図２（ｃ）に示すように、尾部側の分割体１０ｂは、反対側となる図中Ｘ２方向に振れて回動することとなる。
その後、尾部側の分割体１０ｂは、図中Ｘ２方向に回動するとき勢いや水の抵抗を受けて、図２（ｄ）に示すように、図中Ｘ２方向にさらに振れて回動し、鉛直方向に対して傾斜する。
その後、前記と同様に、錘部材２９によって尾部側の分割体１０ｂを鉛直方向に戻す力が働き、図２（ｅ）に示すように、図中Ｘ１方向に尾部側の分割体１０ｂが振れて回動する。
【００３４】
このように、ゆっくりとしたスピードでリトリーブを行った際には、以上のような動作が繰り返し行われることとなり、頭部側の分割体１０ａに対して尾部側の分割体１０ｂが、軸部材２０の周りに振り子のように回動して揺動することとなる。
【００３５】
次に、比較的速いスピードでリトリーブを行ったときの作用について説明する。
図２（ｆ）に示すように、尾部側の分割体１０ｂの体高方向が鉛直方向を向いている初期状態において、比較的速いスピードでリトリーブを開始すると、図２（ｇ）に示すように、水流やリトリーブによる水の抵抗を受けて、尾部側の分割体１０ｂが、例えば、図中Ｘ１方向に所定量回動し鉛直方向に対して傾斜する。ここで、比較的速いスピードでリトリーブを行っているので、尾部側の分割体１０ｂの回動の勢いは比較的強いものとなっており、板状規制部材３０の上部３０ａおよび下部３０ｂが空隙部Ｓの内側面Ｓ１，Ｓ２にそれぞれ強く当接して当接音を発する。そして、この当接とともに板状規制部材３０を押圧して、これを図中Ｘ１方向に回動させる（図２（ｈ）参照）。
【００３６】
ここで、板状規制部材３０は、これを固定している軸部材２０が取り付けられる頭部側の分割体１０ａが、アイ１１を通じて釣糸で引かれているので、図中Ｘ１方向に回動するものの、板状規制部材３０には、これを鉛直方向に戻す力（図２（ｉ）中矢印Ｘ２’方向の力）が作用する。これに加えて、前記したように、錘部材２９によって尾部側の分割体１０ｂには鉛直方向に戻す力が働くので、尾部側の分割体１０ｂは、図２（ｉ），図２（ｊ）に示すように、図中Ｘ２方向に振れて回動することとなる。
【００３７】
その後、尾部側の分割体１０ｂは、図中Ｘ２方向に回動するときの勢いや水の抵抗を受けて、図２（ｋ）に示すように、図中Ｘ２方向にさらに振れて回動し、鉛直方向に対して傾斜する。
この場合、比較的速いスピードでリトリーブを行っているので、尾部側の分割体１０ｂの回動の勢いは比較的強いものとなっており、板状規制部材３０の上部３０ａおよび下部３０ｂが空隙部Ｓの内側面Ｓ１，Ｓ２にそれぞれ当接して当接音を発する。そして、この当接とともに板状規制部材３０を押圧して、これを図中Ｘ２方向に回動させる（図２（ｌ）参照）。
【００３８】
その後、前記と同様に、板状規制部材３０を鉛直方向に戻す力（図２（ｍ）中矢印Ｘ１’方向の力）が作用し、また、前記したように、錘部材２９によって尾部側の分割体１０ｂを鉛直方向に戻す力が働くので、尾部側の分割体１０ｂは、図２（ｎ）に示すように、図中Ｘ１方向に振れて回動することとなる。
【００３９】
このように、比較的速いスピードでリトリーブを行った際には、以上のような動作が繰り返し行われることとなり、頭部側の分割体１０ａに対して尾部側の分割体１０ｂが、軸部材２０の周りに振り子のように回動して揺動することとなる。
【００４０】
なお、板状規制部材３０の上部３０ａおよび下部３０ｂが、空隙部Ｓの内側面Ｓ１，Ｓ２にそれぞれ当接することにより規制される回動角度は、水流やリトリーブ時のスピード（リトリーブ時の強さ）等によって変化し、また、板状規制部材３０と空隙部Ｓの内側面Ｓ１，Ｓ２との間隔を調整することによっても（振れ幅を調整することによっても）変化することとなるが、尾部側の分割体１０ｂの回動が規制されることに変わりはない。
【００４１】
以上説明した本実施形態のルアー１によれば、尾部側となる分割体１０ｂは、軸部材２０と尾部側の分割体１０ｂとの間に設けられた回動規制手段（板状規制部材３０、空隙部Ｓ）により、ルアー本体１０の軸線周りに回動角度を規制されて連結されているので、水流やリトリーブ等による水の抵抗を受けて尾部側の分割体１０ｂが回動するときに、頭部側の分割体１０ａに対して回転してしまうことがなくなり、頭部側の分割体１０ａに対して回動角度が規制されるようにして揺動することとなる。
したがって、魚の動きに似せたリアルな動きを得ることができる。これによって、対象とする魚の捕食活動を強く刺激することができる。
【００４２】
また、水流やリトリーブ等による水の抵抗を受けて尾部側の分割体１０ｂが頭部側の分割体１０ａに対して回動して揺動するときに、回動規制手段（板状規制部材３０、空隙部Ｓ）が、尾部側の分割体１０ｂの空隙部Ｓの内側面Ｓ１，Ｓ２に当接して尾部側の分割体１０ｂの回動を規制するので、比較的速いスピードでリトリーブを行った際に、尾部側の分割体１０ｂが大きく揺動しても、板状規制部材３０の上部３０ａおよび下部３０ｂが空隙部Ｓ１の内側面Ｓ１，Ｓ２にそれぞれ当接して揺動を抑えるので、尾部側の分割体１０ｂが頭部側の分割体１０ａに対して回転してしまうのを好適に防止することができる。
したがって、尾部側の分割体１０ｂをルアー本体１０の軸線周りに好適に回動させてバランスよく揺動させることができる。これにより、魚の動きに似せたリアルな動きを得ることができる。
【００４３】
また、抵抗部１３により、水流やリトリーブ等による水の抵抗を受けて尾部側の分割体１０ｂを頭部側の分割体１０ａに対して好適に回動させることができ、魚の動きに似せた一層リアルな動きを得ることができる。
【００４４】
また、尾部側の分割体１０ｂの腹部側に配設した錘部材２９によって、尾部側の分割体１０ｂをルアー本体１０の軸線周りに回動させてバランスよく揺動させることができ、魚の動きに似せた一層リアルな動きを得ることができる。
また、錘部材２９によって、ルアー本体１０の軸線よりも鉛直方向下側となる領域に、尾部側の分割体１０ｂの重心が好適に位置することとなるので、ゆっくりとしたスピードで行うリトリーブ時および比較的速いスピードで行うリトリーブ時のいずれにおいても、尾部側の分割体１０ｂをルアー本体１０の軸線周りに好適に回動させてバランスよく揺動させることができ、より一層魚の動きに似せたリアルな動きを得ることができる。
しかも、尾部側の分割体１０ｂが回動して揺動する際に、板状規制部材３０が金属製の錘部材２９に当接可能であるので、尾部側の分割体１０ｂの揺動に合わせて当接による金属音を発することができ、集魚効果が高まって対象とする魚の捕食活動を強く刺激することができる。
【００４５】
なお、前記実施形態では、板状規制部材３０の上部３０ａおよび下部３０ｂがそれぞれ空隙部Ｓ１の内側面Ｓ１，Ｓ２の両方に当接するように構成したが、これに限られるものではなく、上部３０ａおよび下部３０ｂの一方が、内側面Ｓ１，Ｓ２のいずれかに当接するように構成してもよい。
【００４６】
また、前記実施形態では、錘部材２９を設けて尾部側の分割体１０ｂの重心が軸部材２０の軸線よりも鉛直方向下側となるように構成したが、これに限られることはなく、錘部材２９を設けなくても、軸部材２０を挿通する位置を鉛直方向に変更したり、尾部側の分割体１０ｂの肉厚を、体高方向の腹部側と背部側とで異ならせたりすること等によって、尾部側の分割体１０ｂの重心が軸部材２０の軸線よりも鉛直方向下側の領域となるように構成してもよい。この場合にも、前記した作用効果と同様の作用効果が得られる。
【００４７】
（第２実施形態）
次に、第２実施形態のルアー１について図３各図を参照して説明する。本実施形態では、図３各図に示すように、軸部材２０の小径軸部２４を用いて回動規制部を構成した点が異なっている。
【００４８】
軸部材２０の小径軸部２４は、クランク状に折り曲げ形成されており、折曲部２４ａと、これに連続する直線部２４ｂと、これに連続する折曲部２４ｃとからなる。小径軸部２４の折曲部２４ａは、尾部側の分割体１０ｂ’の体高方向において腹部側に向けて折り曲げられて形成されている。
そしてこのようにクランク状に折り曲げ形成された小径軸部２４を囲むように、尾部側の分割体１０ｂ’の内側には、ルアー本体１０の軸線に沿う空隙部Ｓ’が形成されている。空隙部Ｓ’は、図３（ｂ）に示すように、軸線方向から見た輪切り断面が、縦長の略長方形状を呈しており、空隙部Ｓ’を構成する各内面が、空隙部Ｓ’内に配置される回動規制部としての小径軸部２４から所定の間隔を空けて位置するように形成されている。
【００４９】
本実施形態では、頭部側の分割体１０ａに対して尾部側の分割体１０ｂ’が相対的に回動した際に、小径軸部２４に対向する空隙部Ｓ’の内側面Ｓ１’，Ｓ２’（図３（ｂ）参照）に、小径軸部２４の直線部２４ｂがそれぞれ当接するように構成されている。
内側面Ｓ１’，Ｓ２’の直線部２４ｂが当接する部位には、錘部材２９が配置されている。
【００５０】
このような本実施形態のルアー１によれば、前記第１実施形態で記載した作用効果と同様の作用効果が得られる。
加えて本実施形態のルアー１では、回動規制部が軸部材２０の小径軸部２４を用いて構成されているので、部品点数が少なくなり、コストの低減を図ることができる。
【００５１】
（第３実施形態）
次に、第３実施形態のルアー１について図４各図を参照して説明する。本実施形態が前記第１、第２実施形態と異なるところは、尾部側の分割体１０ｂにおける頭部側の分割体１０ａとの対向面１５に、傾斜面１５ａ，１５ｂを設けた点にある。なお、尾部側の分割体１０ｂの内側は、第１実施形態または第２実施形態と同様の構造を採用している。
【００５２】
図４（ａ）〜（ｃ）に示すように、傾斜面１５ａ，１５ｂは、尾部側の分割体１０ｂの体側面へ向けて傾斜しており、図４（ｃ）に示すように、平面視で頭部側の分割体１０ａに向かって先細りとなるテーパー状に形成されている。
このような傾斜面１５ａ，１５ｂは、図４（ｄ）（ｅ）に示すように、頭部側の分割体１０ａに対して尾部側の分割体１０ｂが回動した際に、次のように作用する。
【００５３】
すなわち、図４（ｄ）に示すように、尾部側の分割体１０ｂが図中Ｘ１方向に回動したときに、軸線方向から見て頭部側の分割体１０ａの側方に現れる対向面１５の面積は、傾斜面１５ａの面積よりも傾斜面１５ｂの面積のほうが多く現れる状態となり、また、これとは逆に、図４（ｅ）に示すように、尾部側の分割体１０ｂが図中Ｘ２方向に回動したときに現れる対向面１５の面積は、傾斜面１５ｂの面積よりも傾斜面１５ａの面積のほうが多く現れる状態となる。
【００５４】
したがって、図４（ｄ）に示される傾斜面１５ｂの面積のほうが多く現れる状態では、水流やリトリーブ時の水の抵抗によって、尾部側の分割体１０ｂが図中Ｘ２方向に回動するように作用する。
一方、図４（ｅ）に示される傾斜面１５ａの面積のほうが多く現れる状態では、水流やリトリーブ時の水の抵抗によって、尾部側の分割体１０ｂが図中Ｘ１方向に回動するように作用する。
【００５５】
したがって、本実施形態のルアー１では、水流やリトリーブ時の水の抵抗を受けて以上のような動作が繰り返し行われることとなり、頭部側の分割体１０ａに対して尾部側の分割体１０ｂが、軸部材２０の周りに回動を規制されつつ振り子のように揺動することとなる。
【００５６】
なお、図示はしないが、前記第１，第２実施形態で示した錘部材２９を尾部側の分割体１０ｂに設けてもよい。このように構成することで、尾部側の分割体１０ｂをより確実に揺動させることができる。
これにより、魚の動きに似せたリアルな動きを得ることができ、対象とする魚の捕食活動を強く刺激することができる。
【００５７】
（第４実施形態）
次に、第４実施形態のルアー１について図５を参照して説明する。本実施形態では、尾部側の分割体１０ｂ’’における頭部側の分割体１０ａとの対向部１６に回動規制手段を露出させて設けた点が異なっている。
【００５８】
対向部１６には、前記した空隙部Ｓと同様の作用効果をなす空隙部Ｓ’’が凹設されており、この空隙部Ｓ’’内に、軸部材２０の小径軸部２４に固定された小片の板状規制部材３０Ａが設けられている。
【００５９】
空隙部Ｓ’’は、内側面Ｓ１，Ｓ２の中央部が軸部材２０の小径軸部２４に向けて狭められた形状をなしており、これによって板状規制部材３０Ａの回動領域に対応したコンパクトな形状となっている。
本実施形態では、頭部側の分割体１０ａに対して尾部側の分割体１０ｂが相対的に回動した際に、板状規制部材３０Ａの両側面に対向する空隙部Ｓ’’の内側面Ｓ１，Ｓ２に、板状規制部材３０の上部３０ａおよび下部３０ｂがそれぞれ当接するように構成されている。
なお、内側面Ｓ１，Ｓ２において、下部３０ｂが当接する部位には、錘部材２９が配置されている。
【００６０】
本実施形態のルアー１においても前記第１実施形態で記載した作用効果と同様の作用効果が得られる。
加えて本実施形態では、対向部１６に回動規制手段を露出させて設けたので、回動規制手段等の組み付けが簡単であり、尾部側の分割体１０ｂ’’の回動が規制されて、魚の動きに似せたリアルな動きを得ることができるルアー１を比較的簡単に構成することができる。これによって、コストの低減を図ることができるとともに、組み付けが簡単になるので生産性も高い。
また、回動規制手段の調整（当接音の調整）やメンテナンスも行い易い。
【００６１】
なお、前記各実施形態においては、尾部側の分割体１０ｂ（１０ｂ’，１０ｂ’’）を一つの分割体として構成したが、これに限られることはなく、尾部側の分割体１０ｂ（１０ｂ’，１０ｂ’’）をさらに複数の分割体に分割して構成してもよい。この場合、複数に分割された尾部側の分割体のうちの一つや複数の分割体に回動規制手段を設けてもよく、また、複数の分割体の全てに回動規制手段を設けてもよい。
【００６２】
また、ルアー本体１０は、その軸線方向から見たときに、頭部側の分割体１０ａと尾部側の分割体１０ｂ（１０ｂ’等）との外形が重なるように（抵抗部１３を除いた外形が同じ形状となるように）形成したが、これに限られることはなく、頭部側の分割体１０ａに対して尾部側の分割体１０ｂを大きく形成してもよいし、これとは逆に、尾部側の分割体１０ｂに対して頭部側の分割体１０ａを大きく形成してもよい。
【００６３】
また、空隙部Ｓ，Ｓ’，Ｓ’’の内面は、金属材で覆ってもよい。
さらに、板状規制部材３０，３０Ａや小径軸部２４の直線部２４ｂと、空隙部Ｓ，Ｓ’，Ｓ’’との間にスプリングを介在させて、尾部側の分割体１０ｂ，１０ｂ’，１０ｂ’’が揺動するように構成してもよい。
【００６４】
また、ルアー本体１０の軸線方向から見た空隙部Ｓ，Ｓ’，Ｓ’’の形状は、三角形状、多角形状、円形状、楕円形状、長円形状等、種々の形状を採用し得る。
また、頭部側の分割体１０ａおよび尾部側の分割体１０ｂの形状は、図に示したものに限られることはなく、種々の形状を採用し得る。
【符号の説明】
【００６５】
１      ルアー
１０    ルアー本体
１０ａ  頭部側の分割体
１０ｂ，１０ｂ’，１０ｂ’’  尾部側の分割体
１１    アイ
１３    抵抗部
２０    軸部材
２４ｂ  直線部（回動規制部）
２９    錘部材
３０，３０Ａ  板状規制部材（回動規制部）
Ｓ，Ｓ１’，Ｓ’’    空隙部
Ｓ１    内面
【図１】
2011092097.tif 000003
【図２】
2011092097.tif 000004
【図３】
2011092097.tif 000005
【図４】
2011092097.tif 000006
【図５】
2011092097.tif 000007